(57)【要約】【課題】インターネットラジオ放送を受信中に即時性が要求される電波放送の番組を受信した際の番組内容の欠落や重複を防止することができるラジオ受信機を提供すること。【解決手段】ラジオ受信機１は、所定の放送波を用いて配信される電波放送を受信してその放送内容を出力するＦＭラジオチューナ２０と、  インターネットプロトコルを用いて配信されるインターネットラジオ放送を受信し、電波放送と同じ放送内容を、ＦＭラジオチューナ２０の出力タイミングよりも遅れて出力する通信部７０、インターネットラジオ放送処理部１２と、インターネットラジオ放送の番組を出力中に、電波放送の交通情報が受信されたときに、出力対象をこの交通情報に切り替えるとともに、この交通情報の出力終了後に、出力を中断したインターネットラジオ放送の番組の中断箇所から出力を継続する出力切替処理部１６とを備えている。【選択図】図１
2016213624.tif 000002
【特許請求の範囲】
【請求項１】
所定の放送波を用いて配信される電波放送を受信してその放送内容を出力する第１の受信手段と、
インターネットプロトコルを用いて配信されるインターネットラジオ放送を受信し、前記電波放送と同じ放送内容を、前記第１の受信手段の出力タイミングよりも遅れて出力する第２の受信手段と、
前記第２の受信手段によって受信されたインターネットラジオ放送の第１の番組を出力中に、即時性が要求される電波放送の第２の番組が前記第１の受信手段によって受信されたときに、出力対象をこの第２の番組に切り替えるとともに、この第２の番組終了後に、出力を中断したインターネットラジオ放送の前記第１の番組の中断箇所から出力を継続する出力切替手段と、
を備えることを特徴とするラジオ受信機。
【請求項２】
請求項１において、
前記出力切替手段は、前記中断箇所からインターネットラジオ放送の前記第１の番組の出力を継続した後、インターネットラジオ放送に含まれる前記第２の番組と同じ内容を有する番組の出力タイミングが到来したときに、この同じ内容を有する番組の出力を中止し、前記第１の番組の出力をさらに継続することを特徴とするラジオ受信機。
【請求項３】
請求項１または２において、
前記電波放送には、前記第２の番組の受信タイミングに対応する特定番組識別信号が含まれており、
前記出力切替手段は、前記特定番組識別信号に基づいて前記第１および第２の番組の切り替えを行うことを特徴とするラジオ受信機。
【請求項４】
請求項１〜３のいずれか一項において、
前記第２の番組には、交通情報を内容とする番組が含まれることを特徴とするラジオ受信機。
【請求項５】
請求項１〜４のいずれか一項において、
前記第２の番組には、緊急地震速報を内容とする番組が含まれることを特徴とするラジオ受信機。
【請求項６】
請求項２において、
インターネットラジオ放送に含まれる前記第２の番組と同じ内容を有する番組の出力が中止されたときにその旨を通知する通知手段をさらに備えることを特徴とするラジオ受信機。
【発明の詳細な説明】
【技術分野】
【０００１】
本発明は、電波放送とインターネットラジオ放送の両方を受信するラジオ受信機に関する。
【背景技術】
【０００２】
従来から、電波放送と、この電波放送と同じ内容のインターネットラジオ放送の両方を受信することができる放送受信機が知られている（例えば、特許文献１参照。）。この放送受信機では、電波状態が良好なときには、電波放送とインターネットラジオ放送の両方を同時に受信することができるが、一般には、インターネットラジオ放送の方が良好な受信品質が安定的に得られるため、両方の放送を同時に受信できる環境では、インターネットラジオ放送が優先的に受信される傾向にある。
【先行技術文献】
【特許文献】
【０００３】
【特許文献１】特開２０１０−２３３１１３号公報
【発明の概要】
【発明が解決しようとする課題】
【０００４】
ところで、特許文献１に開示された放送受信機では、受信品質が良好なインターネットラジオ放送を受信する際には、受信した音声情報を一旦メモリに蓄積する必要があるため、受信した放送内容を音声出力するまで所定の時間遅れが発生する。一方で、交通情報のような即時性が要求される放送内容については、インターネットラジオ放送を受信中であっても、電波放送に切り替える必要があるが、このような放送内容の切り替えを行うと、インターネットラジオ放送の内容が一部が交通情報等に置き換わるため、この置き換わった内容が欠落して聞けないことになるとともに、インターネットラジオ放送に切り替わった後に同じ内容の交通情報等が出力されるため、放送内容の重複が発生するという問題があった。
【０００５】
本発明は、このような点に鑑みて創作されたものであり、その目的は、インターネットラジオ放送を受信中に即時性が要求される電波放送の番組を受信した際の番組内容の欠落や重複を防止することができるラジオ受信機を提供することにある。
【課題を解決するための手段】
【０００６】
上述した課題を解決するために、本発明のラジオ受信機は、所定の放送波を用いて配信される電波放送を受信してその放送内容を出力する第１の受信手段と、インターネットプロトコルを用いて配信されるインターネットラジオ放送を受信し、電波放送と同じ放送内容を、第１の受信手段の出力タイミングよりも遅れて出力する第２の受信手段と、第２の受信手段によって受信されたインターネットラジオ放送の第１の番組を出力中に、即時性が要求される電波放送の第２の番組が第１の受信手段によって受信されたときに、出力対象をこの第２の番組に切り替えるとともに、この第２の番組終了後に、出力を中断したインターネットラジオ放送の第１の番組の中断箇所から出力を継続する出力切替手段とを備えている。
【０００７】
即時性が要求される電波放送の番組を受信したときに、それまで聴取していたインターネットラジオ放送の番組出力を中断し、この電波放送の番組を出力した後、中断したインターネットラジオ放送の番組出力を中断箇所から再開することができるため、即時性が要求される電波放送の番組を遅滞なく出力することができるとともに、出力が中断されたインターネットラジオ放送の番組内容の欠落を防止することができる。
【０００８】
また、上述した出力切替手段は、中断箇所からインターネットラジオ放送の第１の番組の出力を継続した後、インターネットラジオ放送に含まれる第２の番組と同じ内容を有する番組の出力タイミングが到来したときに、この同じ内容を有する番組の出力を中止し、第１の番組の出力をさらに継続することが望ましい。これにより、即時性が要求される第２の番組を聴取した後、これと同じ内容の番組を重複して聴取することを防止することができる。
【０００９】
また、上述した電波放送には、第２の番組の受信タイミングに対応する特定番組識別信号が含まれており、出力切替手段は、特定番組識別信号に基づいて第１および第２の番組の切り替えを行うことが望ましい。これにより、即時性が要求される第２の番組の受信タイミングを確実に知ることができる。
【００１０】
また、上述した第２の番組には、交通情報あるいは緊急地震速報を内容とする番組が含まれることが望ましい。交通情報や緊急地震速報が配信された場合に、遅滞なくこれらを受信してその内容を聴取することが可能となるとともに、これらの聴取における内容重複や、それまで聴取していた他の放送についての内容欠落を防止することができる。
【００１１】
また、インターネットラジオ放送に含まれる第２の番組と同じ内容を有する番組の出力が中止されたときにその旨を通知する通知手段をさらに備えることが望ましい。これにより、インターネットラジオ放送受信時に、先に強制的に聴取した第２の番組に対応する箇所をスキップしたことを利用者に知らせることができ、番組内容のつながりが不自然になった場合の違和感を減らすことができる。
【図面の簡単な説明】
【００１２】
【図１】一実施形態のラジオ受信機の構成を示す図である。
【図２】ＲＤＳデータの基本的ベースバンドコーディング構造の説明図である。
【図３】電波放送およびインターネットラジオ放送の番組出力タイミングとラジオ受信機１の出力内容との関係を示す図である。
【図４】交通情報受信に伴って番組切り替えを行う動作手順を示す流れ図である。
【発明を実施するための形態】
【００１３】
以下、本発明を適用した一実施形態のラジオ受信機について、図面を参照しながら説明する。図１は、一実施形態のラジオ受信機の構成を示す図である。本実施形態のラジオ受信機１は、所定のネットワーク３を介してサーバ２と接続される。
【００１４】
ネットワーク３は、例えばインターネットであり、ラジオ受信機１に接続された携帯電話や携帯端末装置および基地局（ともに図示せず）を介して接続する場合や、ラジオ受信機１に接続された（あるいは内蔵された）無線ＬＡＮ用の通信装置およびアクセスポイント（ともに図示せず）を介して接続する場合などが考えられる。また、無線ＬＡＮによって接続可能な場合には無線ＬＡＮによる接続を行い、無線ＬＡＮによる接続が不可能な場合（近くにアクセスポイントがない場合など）には携帯電話等を用いた接続を行うようにしてもよい。
【００１５】
サーバ２は、ネットワーク３経由でラジオ受信機１にインターネットラジオ放送を配信する。なお、本明細書では、インターネットプロトコルを用いて配信されるラジオ放送を「インターネットラジオ放送」と称している。このサーバ２は、電波放送を提供する複数の放送局から提供されたそれぞれの番組情報をインターネットプロトコルを用いて各ラジオ受信機１に配信する。また、各放送局毎にサーバ２を設けて各放送局のサーバ２から各ラジオ受信機１に番組情報を配信するようにしてもよい。
【００１６】
ラジオ受信機１は、制御部１０、ＦＭラジオチューナ２０、メモリ３０、操作部４０、入力処理部４２、オーディオ処理部５０、増幅器５２、スピーカ５４、表示処理部６０、表示装置６２、通信部７０を備えている。
【００１７】
制御部１０は、ＣＰＵ、ＲＯＭ、ＲＡＭ等を用いて所定の動作プログラムを実行することにより、放送局から送信される電波放送や、この電波放送と同じ番組内容を有してサーバ２から配信されるインターネットラジオ放送を受信し、番組内容を出力するために、ラジオ受信機１の全体動作を制御する。制御部１０の詳細については後述する。
【００１８】
ＦＭラジオチューナ２０は、アンテナ２２を介して受信したアナログ放送としてのＦＭ放送信号とＲＤＳ放送信号を受信するためのものである。例えば、このＦＭチューナ２０は、フロントエンド（Ｆ／Ｅ）２４、復調部２６、ＲＤＳデコーダ２８を含んで構成されている。
【００１９】
ＲＤＳ放送は、１９ｋＨｚのステレオパイロット信号の３次高調波である５７ｋＨｚを副搬送波とし、フィルタリングおよび２相コード化された番組関連情報や交通情報関連等のデータを示すデータ信号により、副搬送波を振幅変調してラジオデータ（ＲＤＳデータ）とし、この振幅変調された副搬送波を主搬送波に周波数変調して放送している。
【００２０】
図２は、ＲＤＳデータの基本的ベースバンドコーディング構造の説明図である。図２に示すように、ＲＤＳデータは、１０４ビットを１グループとするグループ単位で構成され、各グループはそれぞれ４ブロック（Ａ、Ｂ、Ｃ、Ｄ）からなり、１ブロックは１６ビットの情報語（ｍ０〜ｍ１５）と１０ビットの検査語およびオフセット語（Ｃ’０〜Ｃ’９）とから構成されている。
【００２１】
ブロックＡには、国名データや番組データからなるネットワークを示す番組識別コード（ＰＩコード：Program Identification Code）が配置される。ブロックＢには、交通情報番組を放送する交通情報放送局であることを示す交通情報放送局識別コード（ＴＰコード：Traffic program Identification code）やこの交通情報にかかる放送番組が放送中であるか否かを示す交通アナウンス識別コード（ＴＡコード：Traffic Announcement code）が配置される。ブロックＣには、同一番組を放送しているネットワーク局群の各局の周波数に関するデータ、すなわち代替局周波数コード（ＡＦデータ：Alternative Frequency code）が配置される。ブロックＤには、放送局名やネットワーク名等の放送局名コード（ＰＳデータ：Program Service code）が配置される。
【００２２】
フロントエンド２４は、アンテナ２２を介して受信した放送信号の中から所望の放送信号を抽出するとともに周波数変換を行ってこの放送波に対応する中間周波信号を生成する。復調部２６は、入力される中間周波信号に基づいてＦＭ復調処理およびステレオ復調処理を行う。ＦＭ復調された後のデータには、所定のメッセージデータを含むＲＤＳデータが重畳されている。メッセージデータには、以下の内容が含まれる。
【００２３】
（１）番組識別コード（ＰＩ）
（２）交通情報放送局識別コード（ＴＰコード）
（３）交通アナウンス識別コード（ＴＡコード）
復調部２６によってステレオ復調された音声データは、オーディオ処理部５０に入力される。
【００２４】
ＲＤＳデコーダ２８は、復調部２６によってＦＭ復調されたデータに対して所定のデコード処理を行ってＲＤＳデータを復元する。また、ＲＤＳデコーダ２８は、ＲＤＳデータの誤りをブロック同期を取りながら検出し、その誤りを訂正する動作を行う。なお、通常は、ＲＤＳデータの誤り検出および訂正動作はＲＤＳデータのデコード処理とは別であって、別の誤り検出・訂正部が備わっている。
【００２５】
メモリ３０は、インターネットラジオ放送を受信して各番組の音声データを出力するために必要な各種処理の作業領域として用いられるとともに、電波放送による交通情報受信時に、インターネットラジオ放送の各番組の音声データを遅延させる一時記憶領域として用いられる。
【００２６】
操作部４０は、利用者による各種操作を受け付けるためのものであり、各種のスイッチや操作つまみ等が備わっている。入力処理部２４は、操作部４０の操作状態を監視し、利用者による入力内容を検出する。
【００２７】
オーディオ処理部５０は、ＦＭラジオチューナ２０内の復調部２６から出力される電波放送の復調後のデータや、制御部１０から出力されるインターネットラジオ放送のデータが入力され、いずれか一方を選択して音声出力するためのものであり、データ形式毎の音声復号処理等を行ってオーディオ信号を出力する。このオーディオ信号は、増幅器５２によって増幅され、スピーカ５４から出力される。
【００２８】
表示処理部６０は、制御部１０の制御にしたがって各種の操作画面の表示などを行うためのものであり、それらの表示内容に対応する映像信号を出力する。この映像信号は、表示装置６２に入力されて映像表示が行われる。通信部７０は、サーバ２との間でネットワーク３を介してインターネットラジオ放送に関する各種データの送受信を行うためのものであり、通信方式に応じた所定の処理を行う。
【００２９】
次に、制御部１０について説明する。図１に示すように、制御部１０は、インターネットラジオ放送処理部１２、ＦＭラジオチューナ処理部１４、出力切替処理部１６、通知処理部１８を含んで構成されている。
【００３０】
インターネットラジオ放送処理部１２は、サーバ２から配信されるインターネットラジオ放送を受信して再生する処理を行う。インターネットラジオ放送を受信して再生開始までに行われる各種の処理にある程度の時間がかかるため、電波放送を受信して番組内容を出力開始する場合に比べて、２〜３分程度の時間差（遅延）が生じる。ＦＭラジオチューナ処理部１４は、ＦＭラジオチューナ２０を用いた電波放送の受信に必要な選局などの処理を行う。
【００３１】
出力切替処理部１６は、オーディオ処理部５０による出力対象となる放送（電波放送／インターネットラジオ放送）を切り替える処理を行う。具体的には、出力切替処理部１６は、電波放送とインターネットラジオ放送の同じ番組を受信し、インターネットラジオ放送の番組を出力中に、即時性が要求される電波放送の番組（例えば、交通情報）が受信されたときに、出力対象をこの交通情報に切り替えるとともに、この交通情報の配信終了後に、出力を中断したインターネットラジオ放送の番組の中断箇所から出力を継続する処理を行う。また、出力切替処理部１６は、インターネットラジオ放送の上述した中断箇所から中断前の番組の出力を再開した後、出力済みの交通情報の出力タイミングが到来したときに、この交通情報の出力を中止し、この交通情報の次の番組の出力を継続する。通知処理部１８は、インターネットラジオ放送に含まれる交通情報の出力が中止されたときにその旨を通知する。この通知は、例えば表示処理６２に所定の通知画面を表示したり、スピーカ５４から所定の通知音を出力することにより行われる。
【００３２】
上述したＦＭラジオチューナ２０が第１の受信手段に、通信部７０、インターネットラジオ放送処理部１２が第２の受信手段に、出力切替処理部１６が出力切替手段に、通知処理部１８が通知手段にそれぞれ対応する。また、ＲＤＳデータのメッセージデータに含まれる交通情報放送局識別コード（ＴＰコード）が特定番組識別信号に対応する。
【００３３】
本実施形態のラジオ受信機１はこのような構成を有しており、次に、インターネットラジオ放送の番組を受信中に電波放送の交通情報を受信して切り替える場合の動作を説明する。
【００３４】
図３は、交通情報受信に伴って番組切り替えを行う動作手順を示す流れ図である。例えば、電波放送の番組を受信する動作と並行して、同じ内容を有するインターネットラジオ放送の番組を受信してその番組内容を出力中に、電波放送にて交通情報が配信されて出力対象を切り替える場合の動作手順が示されている。
【００３５】
電波放送とインターネットラジオ放送とで同じ番組を受信すると、出力切替処理部１６は、一般に受信品質が良好なインターネットラジオ放送を選択して、受信した番組内容をスピーカ５４から出力する（ステップ１００）。また、出力切替処理部１６は、このようなインターネットラジオ放送の番組出力動作と並行して、電波放送の交通情報受信を開始したか否かを判定する（ステップ１０２）。この判定は、ＲＤＳデコーダ２８から出力されるＲＤＳデータのメッセージデータ内のＴＡコード（交通アナウンス識別コード）の有無を調べることにより行われる。ＴＡコードが含まれない場合には否定判断が行われ、ステップ１００に戻ってインターネットラジオ放送の番組出力動作が繰り返される。
【００３６】
また、ＲＤＳデータのメッセージデータにＴＡコードが含まれる場合にはステップ１０２の判定において肯定判断が行われる。次に、出力切替処理部１６は、インターネットラジオ放送の番組出力を中止し（ステップ１０４）、電波放送の交通情報の出力を行う（ステップ１０６）。また、出力切替処理部１６は、交通情報を受信が終了したか否かを判定する（ステップ１０８）。交通情報受信中の場合には否定判断が行われ、ステップ１０６に戻って交通情報の出力が継続される。また、交通情報の受信が終了するとステップ１０８の判定において肯定判断が行われる。
【００３７】
次に、出力切替処理部１６は、インターネットラジオ放送の番組出力を、交通情報出力開始時の中断箇所から再開する（ステップ１１０）。また、出力切替処理部１６は、インターネットラジオ放送の交通情報出力が開始されたか否かを判定する（ステップ１１２）。例えば、インターネットラジオ放送の番組出力は、電波放送の番組出力よりも所定時間遅延して行われるため、ステップ１０６において電波放送の交通情報出力が開始された時点からこの遅延時間分の時間が経過した時点を、インターネットラジオ放送の交通情報出力が開始された時点とする場合が考えられる。あるいは、電波放送の交通情報の先頭部分の波形をサンプリングしておいて、インターネットラジオ放送の番組出力波形に同じ形状の波形が含まれた時点を、インターネットラジオ放送の交通情報出力が開始された時点とするようにしてもよい。インターネットラジオ放送の交通情報出力が開始されるまではステップ１１２の判定において否定判断が行われ、この判定が繰り返される。
【００３８】
また、インターネットラジオ放送の交通情報出力が開始されるとステップ１１２の判定において肯定判断が行われる。次に、出力切替処理部１１６は、インターネットラジオ放送の交通情報出力をスキップする（ステップ１１４）。例えば、電波放送の交通情報の出力時間は、ＲＤＳデータのメッセージデータにＴＡコードが含まれる時間を計測することにより知ることができるため、インターネットラジオ放送の番組出力をこの時間分飛ばすことにより、交通情報の出力をスキップすることができる。また、通知処理部１８は、インターネットラジオ放送に含まれる交通情報の出力が中止（スキップ）されたことを通知する（ステップ１１６）。その後、ステップ１０２に戻って、電波放送の交通情報受信を開始したか否かを判定以降の動作が繰り返される。
【００３９】
図４は、電波放送およびインターネットラジオ放送の番組出力タイミングとラジオ受信機１の出力内容との関係を示す図である。図４に示すように、電波放送およびインターネットラジオ放送のそれぞれでは、１、２、３、・・・の順に番組内容の出力が可能であり、それらの間には時間Ｔの出力タイミングのずれが発生する。
【００４０】
本実施形態のラジオ受信機１では、電波放送とインターネットラジオ放送の両方で同じ番組を受信している場合には、インターネットラジオ放送の番組内容が出力される（図４の「インターネットラジオ放送」参照）。
【００４１】
ところが、電波放送で交通情報（図４に示す例では番組５）が配信されると、その出力タイミングに合わせて、ラジオ受信機１の出力内容が、インターネットラジオ放送の番組から電波放送の交通情報（番組５）に切り替わる。この切り替え状態は、交通情報の配信が終了するまで継続する。また、電波放送による交通情報の配信が終了すると、インターネットラジオ放送が中断された箇所から番組出力が再開される。
【００４２】
また、その後インターネットラジオ放送の番組出力において、交通情報（番組５）の出力タイミングが到来するとこの交通情報の出力がスキップされ（飛ばされ）、番組４の次に番組６の内容が出力される。
【００４３】
このように、本実施形態のラジオ受信機１では、即時性が要求される電波放送の交通情報を受信したときに、それまで聴取していたインターネットラジオ放送の番組出力を中断し、この電波放送の番組を出力した後、中断したインターネットラジオ放送の番組出力を中断箇所から再開することができるため、即時性が要求される電波放送の番組を遅滞なく出力することができるとともに、出力が中断されたインターネットラジオ放送の番組内容の欠落を防止することができる。
【００４４】
また、インターネットラジオ放送に含まれる交通情報の出力タイミングが遅れて到来したときに、この交通情報の出力をスキップして飛ばすことにより、同じ内容の交通情報を重複して聴取することを防止することができる。
【００４５】
また、電波放送の交通情報に対応するＲＤＳデータのメッセージデータには交通アナウンス識別コード（ＴＡコード）が含まれており、出力切替処理部１６は、ＴＡコードに基づいて交通情報の切り替えを行っている。これにより、交通情報の受信タイミングを確実に知ることができる。
【００４６】
また、インターネットラジオ放送に含まれる交通情報をスキップしたときにその旨を通知処理部１８によって通知することにより、番組内容のつながりが不自然になった場合の違和感を減らすことができる。
【００４７】
なお、本発明は上記実施形態に限定されるものではなく、本発明の要旨の範囲内において種々の変形実施が可能である。例えば、上述した実施形態では、即時性が要求される電波放送の番組の一例として交通情報を用いて説明したが、交通情報以外についても本発明を適用することができる。例えば、即時性が要求される電波放送の番組に「緊急地震速報」を含めるようにしてもよい。
【００４８】
また、上述した実施形態では、電波放送を受信する構成としてＲＤＳチューナ（ＦＭラジオチューナ２０）を用いたが、ＡＭ放送およびＦＭ放送の少なくとも一方を受信可能なその他のチューナを用いるようにしてもよい。
【産業上の利用可能性】
【００４９】
上述したように、本発明によれば、即時性が要求される電波放送の番組を受信したときに、それまで聴取していたインターネットラジオ放送の番組出力を中断し、この電波放送の番組を出力した後、中断したインターネットラジオ放送の番組出力を中断箇所から再開することができるため、即時性が要求される電波放送の番組を遅滞なく出力することができるとともに、出力が中断されたインターネットラジオ放送の番組内容の欠落を防止することができる。
【符号の説明】
【００５０】
１  ラジオ受信機
２  サーバ
３  ネットワーク
１０  制御部
１２  インターネットラジオ放送処理部
１４  ＦＭラジオチューナ処理部
１６  出力切替処理部
１８  通知処理部
２０  ＦＭラジオチューナ
３０  メモリ
４０  操作部
４２  入力処理部
５０  オーディオ処理部
６２  表示装置
７０  通信部
【図１】
2016213624.tif 000003
【図２】
2016213624.tif 000004
【図３】
2016213624.tif 000005
【図４】
2016213624.tif 000006